(57)【要約】      （修正有）【課題】多方向に同時送風できる回転式空調ファンを提供する。【解決手段】本考案の回転式空調ファンは、ボディーに設置される遠心式扇風機と駆動式モーターとから構成される。ボディー内部の空きスペースの一端には空気取入口が設けられ、側面には回転式空気排出口があり、空きスペースの内側に遠心式扇風機があり、駆動式モーターを駆動させる。遠心式扇風機には回転導流部が設けられ、この回転導流部の第一の端部は空気取入口と、第二の端部は回転式空気排出口とそれぞれ対称し、遠心式扇風機を回転させることで気流を空気取入口から回転式空気排出口に送る。【選択図】図１
0003118415.tif 000002
【実用新案登録請求の範囲】
【請求項１】
内部に空きスペースが設けられ、当該スペースの一端に少なくとも一つのエアー吹き込み穴があり、側面に回転式空気排出口が設置されるボディーと、
前記ボディーの前記空きスペースの前記回転式空気排出口附近に設置され、遠心式羽根と回転導流部から形成され、第一の端部が前記ボディーの前記空気排出口と対称し、第二の端部が前記ボディーの前記空気排出口と対称し、回転作用で気流を前記ボディーの前記空気取入口から前記回転式空気排出口の方向に送る遠心式扇風機と、
前記ボディーの前記空きスペースの所定位置に設置され、出力軸を前記遠心式扇風機と組み合わせ、前記遠心式扇風機を回転させることができる駆動式モーターと、
第一の結合部と第二の結合部とを含み、当該第一の結合部を前記ボディーの所定領域と組み合わせることができ、当該第二の結合部を構造物に設置することができる固定ユニットと、
を有する、
回転式空調ファン。
【請求項２】
前記ボディーの前記空気取入口は、渦状構造を有する、
請求項1に記載の回転式空調ファン。
【請求項３】
前記回転導流部は、前記遠心式羽根の前記空気取入口の付近における第一のカーブ状リングと、前記遠心式羽根の前記回転式空気排出口の付近における第二のカーブ状リングとから構成される、
請求項1に記載の回転式空調ファン。
【請求項４】
前記固定ユニットは、前記ボディーの前記空気取入口から離れる一端に設置できる接地式ユニットである、
請求項1に記載の回転式空調ファン。
【請求項５】
前記固定ユニットは、前記ボディーの前記空気取入口の一端に設置できる吊り掛け架ユニットである、
請求項1に記載の回転式空調ファン。
【請求項６】
前記固定ユニットは、前記ボディーの前記空気取入口の一端に設置できる壁固定式ユニットである、
請求項1に記載の回転式空調ファン。
【請求項７】
前記ボディーの前記空気排出口部分は、スプレー装置を増設できる構造である、
請求項1に記載の回転式空調ファン。
【請求項８】
前記ボディーの前記空気取入口の隙間には、カバーを設置できる構造である、
請求項1に記載の回転式空調ファン。
【考案の詳細な説明】
【技術分野】
【０００１】
本考案は多方向に同時送風できる新型回転式空調ファンの構造及び設置形態に係るものである。
【背景技術】
【０００２】
扇風機はクーラーよりも省エネであるため、現在でも扇風機を室内または室外の空調設備として利用している場合が多い。既存の扇風機はお分かりのように、形の決まった筐体またはユニットの中枢部にファンを設置し、モーター駆動の働きでファンを回し、空気をファンの後方から前方に導くことで風を作り出している。しかし、今までの使用経験によって、このような旧式扇風機には下記の問題点が存在することが発見された。
【０００３】
１．旧式扇風機の使用時、ファンは直接回転し、人に向けて送風するため、形成された気流が強く、長時間使用していると、不快感を感じやすい。
【０００４】
2．旧式扇風機が単一方向にしか送風できないことである。一部の扇風機は自動回転機構を設計に取り入れているが、同じ時間帯において、やはり単一方向にしか送風できず、多方向に同時送風することができない。  
よって、上述の旧式扇風機の問題点を解決し、より理想的で実用性をもった新型構造を開発することは各関連業者の目指すところである。
【０００５】
今まで関連製品の製造開発及び設計に携わってきた経験を活かし、上述の目標を達成すべく、さらに工夫を加え、慎重に評価を重ねた後にやっとこのような実用性をもった発明品を開発したのである。
【考案の開示】
【考案が解決しようとする課題】
【０００６】
本考案の目的は、多方向に同時送風できる新型回転式空調ファンを提供することにある。
【課題を解決するための手段】
【０００７】
本考案の特徴は、ボディー、扇風機、駆動式モーターから構成される回転式空調ファンにある。そのボディーの内部には空きスペースがあり、その空きスペースの一端には空気取入口と、空きスペースの側面には回転式空気排出口とがそれぞれ設置される。空きスペースの内側には駆動式モーターで稼動する一つの遠心式扇風機があり、その遠心式扇風機は回転式導流部を含み、その第一の端部はボディーの空気排出口と、第二の端部はボディーの空気排出口とそれぞれ対称し、遠心式扇風機が回転することで気流を前述の空気取入口から回転式空気排出口の方向に送る。また、ボディーには設置用の結合部があり、これにより、本考案における回転式空調ファンは空気取入口を通じて、遠心式扇風機から導入された気流を回転させながら送り出し、その働きによって空調の快適度を向上させ、実用性を兼ね備えたものとなる。  
本考案の他の特徴はボディーの回転式空気排出口にスプレー装置を装着できることにある。これにより回転式空調ファンは送風と同時にスプレー機能が働き、空気中の湿気が増し、雨上がりのような爽快感を感じさせる。  
本考案の他の特徴はボディーの空気取入口に渦状構造の設計を採用することにある。これによりボディーの空気取入口周辺から外側に向かって広がるストッパー部位が形成され、スプレー装置から噴出される水を適宜に阻止し、空気取入口に吸い込まれる水の量を抑え、ボディー内部の駆動式モーター及び電子回路の使用寿命が湿気により影響を受けるのを防止できる。
【考案の効果】
【０００８】
本考案の効果は、以下の通りである。
【０００９】
１．本考案の回転式空調ファンはボディーの空きスペースに回転導流部を設置する遠心式扇風機の新しい設計により、空気取入口から導入された気流を循環させて回転気流を作り出すものである。本考案の回転式空調ファンから送り出される風は旧式扇風機よりも穏やかで、快適なものとなっている。
【００１０】
２．扇風機が作動する時、回転気流を３６０°に同時に送ることが可能であり、どの位置の人にも風が当たるようになる。よって、同じ環境条件において、本考案を採用する場合に必要とする扇風機の数は旧式扇風機よりもはるかに少なく、しかも快適な送風品質を得ることができ、住宅やビジネス場所での使用に適用する。
【００１１】
３．ボディーの回転式空気排出口にスプレー装置を増設できるのが特徴であり、回転式空調ファンは送風時に水をより遠くに撒き散らし、これにより空気中の湿度が増し、雨上がりの後のような爽快感を与える。
【００１２】
４．ボディーの空気取入口には渦状構造が設けられ、それはボディーの空気取入口の周辺から外側に向かって広がるストッパー部位を形成し、スプレー装置から噴出される水を適宜に阻止し、空気取入口に吸い込まれる水の量を抑え、ボディー内部の空きスペースの駆動式モーター及び電子回路の使用寿命が湿気により影響を受けるのを防止できる。
【００１３】
５．ボディーの空気取入口にはカバーを装着できる設計となり、空気取入口を上向きに設置する時に雨避け及び装飾効果を得ることができる。
【考案を実施するための最良の形態】
【００１４】
次に、添付した図面を参照しながら、本考案の好適な実施形態を詳細に説明する。
【００１５】
まずは図１〜図３を参照する。これらは本考案における回転式空調ファンの好適的な実施例である。この回転式空調ファンは、筒状の形をしたボディー１０を含み、ボディー１０の内部には空きスペース１１があり、空きスペース１１の一端に（本実施例では最上部）少なくとも一つの空気取入口１２を設け、空きスペース１１の側面には回転式空気排出口１３が設置されている。
【００１６】
遠心式扇風機２０がボディー１０の空きスペース１１の回転式空気排出口１３付近に装着される。遠心式扇風機２０は複数の遠心式羽根２１及び回転導流部２２が設置され、回転導流部２２の第一の端部はボディー１０の空気取入口１２と、第二の端部はボディー１０の空気排出口１３とがそれぞれ対称に配置される。本実施例の回転導流部２２は遠心式羽根２１の空気取入口１２側に設置される第一のカーブ状リング２２１及び遠心式羽根２１の回転式空気排出口１３側に設置された第二のカーブ状リング２２２から構成される。遠心式扇風機２１  の回転作用により、気流をボディー１０のトップにある空気取入口１２から回転式空気排出口１３に向けて送る仕組みとなっている。
【００１７】
ボディー１０の空きスペース１１の所定位置に設けられる駆動式モーター３０の出力軸３１は、遠心式扇風機２０の中心の軸受け穴２３と結合することができ、その仕組みで遠心式扇風機２０を回転させている。
【００１８】
固定ユニット４０は第一の結合部４１及び第二の結合部４２を含み、第一の結合部４１はボディー１０の所定部位に、第二の結合部４２は何らかの環境もしくは対象物に置いたり設置することができる。これについては本実施例における固定ユニット４０を参照する。それは接地式固定ユニットであり、その上面の第一の結合部４１には貫通穴４３をもつ掛け板形式となり、ボルトを使ってボディー１０の空気取入口１２から離れる一端の底部に設けられたねじ穴１４に固定することができる。
【００１９】
前述の構造と設計に基づき、本考案の好適的な実施例の使用状況について説明する。
【００２０】
図３に示すように、遠心式扇風機２０が作動する時、その回転導流部２２の設計により、ボディー１０上部の空気取入口１２から導入された縦方向気流Ａ１を横方向に転換させ、３６０°循環する回転気流Ａ２を形成することができる。
【００２１】
その中で、ボディー１０の回転式空気排出口１３はスプレー装置５０を増設することができ、ここでいうスプレー装置はホース５１及び噴射ヘッド５２からなり、スプレーの噴出は遠端の圧力駆動裝置により制御できる。噴射ヘッド５２をボディー１０の空気排出口１３の外側に沿って間隔を空けて配置すると、送風時に遠くまで水Ｗを噴射することができ（第３図を参照する）、水が蒸発すると空気の湿度が増し、雨上がりのような爽快感を与える。
【００２２】
この構造において、ボディー１０の空気取入口１２には渦状構造１５が設けられ、その渦状構造１５は前述のスプレー装置５０のために設置されるものである。その渦状構造１５はボディー１０の空気取入口１２の周辺から外側に向かって広がるストッパー部位を形成し、スプレー装置５０から噴出される水を適宜に阻止し、空気取入口１２に吸い込まれる水の量を抑え、ボディー１０内部の空きスペース１１の駆動式モーター３０及び電子回路の使用寿命が湿気により影響を受けるのを防止できる。
【００２３】
図４に示すように、固定ユニット４０Ｂはボディー１０の空気取入口１２の一端に吊り掛けることができる。ボディー１０の空気取入口１２は中心部に組立て式ボード６０を装着したネット６１を設置することができ、これによって固定ユニット４０Ｂの第一の結合部４１を組立て式ボード６０に、固定ユニット４０Ｂの第二の結合部４２を天井に吊掛けることができる。ボディー１０をこのように固定し、回転式空調ファンの吊り掛け組み立て形態を完成する。
【００２４】
図５に示すように、固定ユニット４０Ｂは片側のみの壁固定方式を採ることができる。この装着形態と前述の実施例との違いは固定ユニット４０Ｂを横向きに装着したことであり、固定ユニット４０Ｂの第二の結合部４２を壁に固定し、ボディー１０の空気取入口１２は壁に向かって横向きに空気を取り入れ、回転式空気排出口１３は縦方向に送風するという工夫を加えるものである。
【００２５】
図６に示すように、ボディー１０の空気取入口１２の隙間にカバー７０を装着することができ、そのカバーは支持フレーム７１によって空気取入口１２側のネット６１の中央板部６０の上に固定される。カバー７０は空気取入口１２を上向きに組み付ける時に雨避けの効果を得るために装着されたものである。回転式空調ファンが室外に設置された場合（図７を参照する）、雨水が空気取入口１２から直接ボディー１０の内部に滴り落ち、駆動式モーター３０及びその電子回路の使用寿命に影響するのを防止するだけでなく、カバー７０を装着することによりある程度の装飾効果を得ることができる。
【００２６】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２７】
【図１】本考案における好適的な組合せ斜視図である。
【図２】本考案における好適的な分解斜視図である。
【図３】本考案における好適的な実施例の断面図及び気流フローとスプレー噴出状態を示す図である。
【図４】本考案におけるボディー装着形態の別の実施例を示す図である。
【図５】本考案におけるボディーの別の装着形態における別の実施例を示す図である。
【図６】本考案におけるボディーの実施例を示す図である。
【図７】本考案のボディー装着形態における別の組み合わせ形態の別の実施例を示す図である。
【符号の説明】
【００２８】
１０  ボディー  
１１  空きスペース
１２  空気取入口
１３  回転式空気排出口
１４  ねじ穴
１５  渦状構造
２０  遠心式扇風機
２１  遠心式羽根
２２  回転導流部
２３  軸受け穴
２２１  第一のカーブ状リング
２２２  第二のカーブ状リング
３０  駆動式モーター
３１  出力軸
４０、４０Ｂ  固定ユニット
４１  第一の結合部
４２  第二の結合部
４３  貫通穴
５０  スプレー装置
５１  ホース
６１  ネット
７０  カバー
７１  支持フレーム
【図１】
0003118415.tif 000003
【図２】
0003118415.tif 000004
【図３】
0003118415.tif 000005
【図４】
0003118415.tif 000006
【図５】
0003118415.tif 000007
【図６】
0003118415.tif 000008
【図７】
0003118415.tif 000009